【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、
少なくとも前記当選条件が成立することを示す演出条件が成立するか否かを前記開始条件の成立以前に判定する演出条件判定手段と、
前記始動条件の成立を示す始動情報を、前記始動条件の成立した順序を特定可能に所定数まで記憶可能な始動情報記憶手段と、
前記開始条件の成立時に前記始動情報記憶手段に記憶される始動情報のうち当該開始条件の成立した始動情報に基づいて前記当選条件が成立するか否かを判定する開始時当落判定手段と、
前記開始時当落判定手段の判定結果に基づいて前記複数種類の図柄情報の変動表示を開始してから前記表示結果を導出表示するまでの前記可変表示装置の変動態様を決定する変動態様決定手段と、
該変動態様決定手段が決定した前記変動態様に基づいて前記可変表示装置を表示制御し、前記開始時当落判定手段の判定結果に応じた表示結果を導出表示する表示制御手段と、
前記演出条件判定手段の判定結果に基づいて、当該始動条件に応じた前記始動情報の前記開始条件が成立する以前に前記利益付与状態に制御する割合が高いことを示唆する先行演出を実行するか否かを判定する先行演出判定手段と、
該先行演出判定手段により前記先行演出を実行する旨の判定がなされた場合に、前記先行演出を実行する先行演出実行手段と、
該先行演出実行手段が実行する前記先行演出の演出態様として、前記当選条件の成立期待度に応じて実行される割合が異なるように設定される複数種類の演出態様の中から前記演出条件判定手段の判定結果に応じていずれかの演出態様に決定する演出態様決定手段と、
所定の変更条件が成立したことに基づいて前記先行演出実行手段が実行する前記先行演出の演出態様を変更するか否かを判定する演出態様変更判定手段と、を備え、
前記先行演出実行手段は、前記演出態様決定手段によって決定された前記演出態様よりも前記当選条件の成立期待度の低い演出態様の前記先行演出を実行し、前記演出態様変更判定手段によって前記先行演出の演出態様を変更する旨の判定がなされる毎に実行中の前記先行演出の演出態様よりも前記当選条件の成立期待度の高い演出態様に変更し、
前記演出態様変更判定手段は、前記先行演出実行手段によって実行されている前記先行演出の演出態様が前記演出態様決定手段によって決定された前記演出態様と合致している場合には前記先行演出の演出態様を変更しない旨の判定をすることを特徴とする遊技機。
【請求項２】
遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする請求項１記載の遊技機。
【請求項３】
遊技者の操作に応じて前記遊技領域に向けて遊技球を打ち込む発射手段を備えることを特徴とする請求項２記載の遊技機。
【手続補正２】
【補正対象書類名】明細書
【補正対象項目名】００１０
【補正方法】変更
【補正の内容】
【００１０】
上記した目的を達成するために、請求項１に係る発明においては、始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、
少なくとも前記当選条件が成立することを示す演出条件が成立するか否かを前記開始条件の成立以前に判定する演出条件判定手段と、
前記始動条件の成立を示す始動情報を、前記始動条件の成立した順序を特定可能に所定数まで記憶可能な始動情報記憶手段と、
前記開始条件の成立時に前記始動情報記憶手段に記憶される始動情報のうち当該開始条件の成立した始動情報に基づいて前記当選条件が成立するか否かを判定する開始時当落判定手段と、
前記開始時当落判定手段の判定結果に基づいて前記複数種類の図柄情報の変動表示を開始してから前記表示結果を導出表示するまでの前記可変表示装置の変動態様を決定する変動態様決定手段と、
該変動態様決定手段が決定した前記変動態様に基づいて前記可変表示装置を表示制御し、前記開始時当落判定手段の判定結果に応じた表示結果を導出表示する表示制御手段と、
前記演出条件判定手段の判定結果に基づいて、当該始動条件に応じた前記始動情報の前記開始条件が成立する以前に前記利益付与状態に制御する割合が高いことを示唆する先行演出を実行するか否かを判定する先行演出判定手段と、
該先行演出判定手段により前記先行演出を実行する旨の判定がなされた場合に、前記先行演出を実行する先行演出実行手段と、
該先行演出実行手段が実行する前記先行演出の演出態様として、前記当選条件の成立期待度に応じて実行される割合が異なるように設定される複数種類の演出態様の中から前記演出条件判定手段の判定結果に応じていずれかの演出態様に決定する演出態様決定手段と、
所定の変更条件が成立したことに基づいて前記先行演出実行手段が実行する前記先行演出の演出態様を変更するか否かを判定する演出態様変更判定手段と、を備え、
前記先行演出実行手段は、前記演出態様決定手段によって決定された前記演出態様よりも前記当選条件の成立期待度の低い演出態様の前記先行演出を実行し、前記演出態様変更判定手段によって前記先行演出の演出態様を変更する旨の判定がなされる毎に実行中の前記先行演出の演出態様よりも前記当選条件の成立期待度の高い演出態様に変更し、
前記演出態様変更判定手段は、前記先行演出実行手段によって実行されている前記先行演出の演出態様が前記演出態様決定手段によって決定された前記演出態様と合致している場合には前記先行演出の演出態様を変更しない旨の判定をすることを特徴とする。
また、請求項２の発明においては、遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする。
また、請求項３の発明においては、遊技者の操作に応じて前記遊技領域に向けて遊技球を打ち込む発射手段を備えることを特徴とする。
【手続補正３】
【補正対象書類名】明細書
【補正対象項目名】００１１
【補正方法】変更
【補正の内容】
【００１１】
このように、本発明によれば、始動条件の成立後、開始条件の成立以前に少なくとも当選条件が成立することを示す演出条件が成立するか否かを判定するとともに、当選条件の成立期待度に応じて実行される割合が異なるように設定される複数種類の演出態様の中から演出条件判定手段の判定結果に応じていずれかの演出態様に決定し、演出態様決定手段によって決定された演出態様よりも当選条件の成立期待度の低い演出態様の先行演出を実行し、変更条件の成立に応じて先行演出の演出態様を変更する旨の判定がなされる毎に実行中の先行演出の演出態様よりも当選条件の成立期待度の高い演出態様に変更するため、変更条件の成立に対して興味を抱かせることができ、当選条件の有無にかかる判定処理に課される制約を遵守しつつ、斬新な遊技演出を実現することができる。